(57)【要約】      （修正有）【課題】建物の壁面に取り付けることができたり、また壁面から取り外して携行することもできる、コンパクトで機能性に富み、且つ本来の機能も十分発揮し得るセンサー付ライトを提供する。【解決手段】建物の壁面と接する壁面取付面部、その上端から斜め下方に向けて延設された受光面部、その先端から壁面取付面部の下端に亘って設けられたセンサー照明面部１３、及び、これら３つの面部の側縁間に設けられた側面部１４，１４から筐体１０が構成され、壁面取付面部１１には手動発電機のハンドル部が、受光面部１２には太陽電池セルが、センサー照明面部１３にはセンサー部５０及び照明部６０が設けられ、筐体１０内には蓄電池、手動発電機の本体、制御部等が収納されている。【選択図】図１
0003146892.tif 000002
【実用新案登録請求の範囲】
【請求項１】
建物の壁面に着脱可能且つ携行可能なセンサー付ライトであって、
前記壁面と接する壁面取付面部、
この壁面取付面部の上端から斜め下方に向けて延設され、上面に太陽電池セルが設けられた受光面部、
この受光面部の先端から前記壁面取付面部の下端に亘って設けられ、斜め下方に向いた人体及び／又は明度を検知するセンサー部及び照明部が配されたセンサー照明面部、及び、
これら壁面取付面部、受光面部及びセンサー照明面部のそれぞれの側縁間に設けられた左右一対の側面部から構成された筐体と、
この筐体内に設けられ、前記太陽電池セルで得られた電力を蓄電するとともに前記センサー部及び照明部に電力を供給する蓄電池と、
本体部が前記筐体内に設けられる一方ハンドル部が前記壁面取付面部に出没可能に収納され、前記蓄電池の蓄電容量が不足した場合に前記ハンドル部が回転されることにより該蓄電池に給電する手動発電機と、
前記筐体内に設けられ、前記センサー部、照明部及び蓄電池を制御する制御部と、
を備えたセンサー付ライト。
【請求項２】
請求項１に記載のセンサー付ライトにおいて、
前記筐体に、携行用のハンドルが設けられたセンサー付ライト。
【請求項３】
請求項１又は２に記載のセンサー付ライトにおいて、
前記筐体に、前記照明部の点灯及び消灯を行うスイッチが設けられたセンサー付ライト。
【考案の詳細な説明】
【技術分野】
【０００１】
本考案は、建物の壁面に着脱可能且つ携行可能なセンサー付ライトに関する。
【背景技術】
【０００２】
従来、太陽電池、携帯可能な手回し発電機、蓄電池の３つを組み合わせた携帯型の補助電源装置が提案されている（例えば、特許文献１〜３参照）。
【０００３】
また、上記の３つの要素に加えて、発光ダイオードからなる照明部、ラジオ受信部、及び緊急報知部を備えた緊急・災害用携帯具が提案されている（例えば、特許文献４参照）。
【０００４】
それら以外にも、上記の３つの要素に加えて、明度センサーを備えたソーラー屋外灯が提案されている（例えば、特許文献５参照）。
【特許文献１】特許第３５７８９１１号公報
【特許文献２】特開２００２−１３６１９３号公報
【特許文献３】実開昭５８−２２８２７号公報
【特許文献４】特開２００７−２６７４６９号公報
【特許文献５】実用新案登録第３１２６２９０号公報
【考案の開示】
【考案が解決しようとする課題】
【０００５】
しかしながら、上記特許文献１〜４に記載の従来技術にあっては、いずれも電気回路の構成に主眼をおいたものであり、機器の取り扱い性については何ら配慮されていない。また、上記特許文献５に記載の従来技術にあっては、専ら発電機のハンドルの構成に主眼をおいた屋外灯に関するものであり、当然のことながら携行性は全く考慮されていない。
【０００６】
このように、太陽電池、手回し発電機、蓄電池、及び照明部を組み合わせた器具は周知ではあっても、取り扱い性を考慮したものはなかった。
【０００７】
本考案は、上記事情に鑑み創案されたものであり、建物の壁面に取り付けることができたり、また壁面から取り外して携行することもできる、コンパクトで機能性に富み、且つ本来の機能も十分発揮し得るセンサー付ライトを提供することを目的とするものである。
【課題を解決するための手段】
【０００８】
上記課題を解決するため、本考案に係るセンサー付ライトは、前記壁面と接する壁面取付面部、この壁面取付面部の上端から斜め下方に向けて延設され、上面に太陽電池セルが設けられた受光面部、この受光面部の先端から前記壁面取付面部の下端に亘って設けられ、斜め下方に向いた人体及び／又は明度を検知するセンサー部及び照明部が配されたセンサー照明面部、及び、これら壁面取付面部、受光面部及びセンサー照明面部のそれぞれの側縁間に設けられた左右一対の側面部から構成された筐体と、この筐体内に設けられ、前記太陽電池セルで得られた電力を蓄電するとともに前記センサー部及び照明部に電力を供給する蓄電池と、本体部が前記筐体内に設けられる一方ハンドル部が前記壁面取付面部に出没可能に収納され、前記蓄電池の蓄電容量が不足した場合に前記ハンドル部が回転されることにより該蓄電池に給電する手動発電機と、前記筐体内に設けられ、前記センサー部、照明部及び蓄電池を制御する制御部と、を備えたものである。
【０００９】
このように本考案のセンサー付ライトは、筐体が、壁面取付面部、受光面部、センサー照明面部及び左右一対の側面部の合計５つの面から構成されているから、直方体や立方体に比べて筐体の容積が小さく、全体としてコンパクトである。それと同時に、壁面取付面部を介して建物の壁面に取り付けたり、また取り外したときは、壁面取付面部を下にして床面等に安定して置くことができ、取り扱い性に優れている。
【００１０】
また、受光面部は、壁面取付面部の上端から斜め下方に向けて延設されており、このようになる受光面部に太陽電池セルが設けられているから、建物の壁面に取り付けられた際、太陽電池セルを建物の壁面から斜め上方に臨ませることができる。したがって、建物の壁面に取り付けられた状態でも、太陽電池セルは効率よく外来光を受光することができる。
【００１１】
さらに、建物の壁面に取り付けられた際、センサー照明面部は自ずと斜め下方を臨むことになるので、センサーが人体を検知するものであった場合は、確実に人体を検知することができるとともに、照明部も人体の足元を照らすことができる。
【００１２】
上記のセンサー付ライトにおいて、筐体には、携行用のハンドルが設けられていてもよい。
【００１３】
この場合、建物の壁面から取り外した際にその携行用のハンドルを持って携行することができる。
【００１４】
また、上記の筐体に、照明部の点灯及び消灯を行うスイッチが設けられていてもよい。
【００１５】
この場合、建物の壁面から取り外した際に、夜間の歩行等に便利な懐中電灯の役目を果たすことができる。
【考案の効果】
【００１６】
本考案のセンサー付ライトは、建物の壁面に取り付けることができたり、また壁面から取り外して携行することもできる、コンパクトで機能性に富み、且つ本来の機能も十分発揮し得るものである。
【考案を実施するための最良の形態】
【００１７】
以下、本考案の実施の形態について、図面を参照して説明する。
【００１８】
図１〜図８は、本考案に係るセンサー付ライトの一実施形態を示し、図１は全体斜視図、図２は右側面図、図３は正面図、図４は背面図、図５は平面図、図６は底面図、図７は建物の壁面に取り付けた状態を示す斜視図、図８は携行状態を示す斜視図である。
【００１９】
本考案のセンサー付ライト１は、建物の壁面Ｗ（図７参照）と接する壁面取付面部１１、この壁面取付面部１１の上端から斜め下方に向けて延設された受光面部１２、この受光面部１２の先端から壁面取付面部１１の下端に亘って設けられたセンサー照明面部１３、及び、これら壁面取付面部１１、受光面部１２及びセンサー照明面部１３のそれぞれの側縁間に設けられた左右一対の側面部１４，１４から筐体１０が構成されている。
【００２０】
上記壁面取付面部１１は、図７に示すように、建物の壁面Ｗに取り付けることができるよう、平らな面とされており、その上端寄りに、建物の壁面Ｗに設けられたフックや釘等（図示省略）と掛止される掛止孔１１０が形成されている。また、手動発電機（図示省略）のハンドル部２０を収納するハンドル収納用凹陥部１１１が設けられるとともに、照明部６０の点灯・消灯を行うためのスイッチ３０を収容するスイッチ収納部１１２が設けられている。ハンドル収納用凹陥部１１１は、この内部にハンドル部２０が収納された際、ハンドル部２０が壁面取付面部１１の表面から突出することのない深さとされている。なお、スイッチ３０及びスイッチ収納部１１２は省いてもよい。
【００２１】
上記受光面部１２には、その上面に太陽電池セル４０が設けられている。この受光面部１２は、上述したように壁面取付面部１１の上端から斜め下方に向けて延設されているから、建物の壁面Ｗに取り付けられた際、太陽電池セル４０を建物の壁面Ｗから斜め上方に臨ませることができる。したがって、建物の壁面Ｗに取り付けられた状態でも、太陽電池セルは効率よく外来光を受光することができる。
【００２２】
上記センサー照明面部１３には、人体を検知するセンサー部５０と照明部６０とが設けられている。センサー部５０としては、例えば従来周知の赤外線を利用した人体検知センサーが用いられる。また照明部６０は、すり鉢状の凹陥部６１の周面又は周面から底部にかけて設けられた反射鏡６２と、この凹陥部６１の底部に六角形状に配設された６個の発光ダイオード６３と、凹陥部６１及びその周辺を覆う透光性の保護シート６４とから構成されている。
【００２３】
なお、センサー部５０は上記したような人体を検知するセンサーに限らず、明度を検知するセンサーであってもよいし、また、人体を検知するセンサーと明度を検知するセンサーの２つのセンサーを含むものであってもよい。また、照明部６０の構成は上記した例に限らず、例えば発光ダイオード６３に代えて小型の電球であってもよい。
【００２４】
このようになるセンサー照明面部１３は、上記したように、受光面部１２の先端から壁面取付面部１１の下端に亘って設けられているので、建物の壁面Ｗに取り付けられた際、センサー照明面部１３は自ずと斜め下方を臨むことになる。したがって、センサーが人体を検知するものであった場合は、確実に人体を検知することができるとともに、照明部６０も人体の足元を照らすことができる。
【００２５】
上記構成の筐体１０内には、太陽電池セル４０で得られた電力を蓄電するとともにセンサー部５０及び照明部６０に電力を供給する蓄電池（図示省略）と、この蓄電池の蓄電容量が不足した場合に上記ハンドル部２０が回転されることにより該蓄電池に給電する手動発電機（図示省略）と、センサー部５０、照明部６０及び蓄電池を制御する制御部（図示省略）とが設けられている。なお、蓄電池、手動発電機、センサー部、照明部及び制御部の電気的構成は、例えば前記した特許文献１〜５のいずれかに開示された構成を適宜採用することができるため、ここでは詳述しない。
【００２６】
また、筐体１０の受光面部１２の上面から両側面部１４，１４にかけて跨ぐように、壁面取付面部１１寄りに携行用のハンドル１５が設けられている。このハンドル１５は、両側面部１４，１４の壁面取付面部１１寄りに形成された案内溝１４１（図８参照）に、ハンドル１５の両端内面に突設された係合突起（図示省略）を介して、上下方向摺動可能に取り付けられている。このハンドル１５が設けられていることにより、建物の壁面Ｗから取り外した際にそのハンドル１５を持って携行することができる。
【００２７】
以上説明したセンサー付ライト１の使用方法について説明すると、例えば、玄関先や勝手口などの夜間照明として使う場合は、建物の壁面Ｗにフックや釘などを設けておき、これに壁面取付面部１１の掛止孔１１０を引っ掛けて壁面Ｗにセンサー付ライト１を取り付けておく。
【００２８】
この状態で、昼間は、外来光を受光面部１２の太陽電池セル４０が受光し、ここで発電された電力が、筐体１０内の蓄電池に蓄電される。夜間になり、センサー付ライト１の検知エリアに人が入ると、これをセンサー部５０が検知し、センサー部５０から制御部に検知信号が送られ、これに基づいて蓄電池から照明部６０に電力が供給される。これにより、６個の発光ダイオード６３のすべてが光り、予め決められた一定時間斜め下方に向けて投光する。
【００２９】
室内又は携行して使用する場合は、センサー付ライト１を壁面Ｗから取り外す。室内では太陽電池セル４０に充分な光があたらない場合が多いので、自ずと太陽電池セル４０から蓄電池への給電量が減少する。このため、蓄電池の蓄電容量が、照明部６０の点灯に必要な容量以下となった場合は、壁面取付面部１１のハンドル収納用凹陥部１１１から手動発電機のハンドル部２０を引き出し、ハンドル部２０を回して手動発電機により発電を行い、これによって生じた電力を蓄電池に蓄電させる。
【００３０】
以上説明したように、本考案のセンサー付ライト１は、筐体１０が、壁面取付面部１１、受光面部１２、センサー照明面部１３及び左右一対の側面部１４，１４の合計５つの面から構成されているから、直方体や立方体に比べて筐体の容積が小さく、全体としてコンパクトである。それと同時に、壁面取付面部１１を介して建物の壁面Ｗに取り付けたり、また取り外したときは、壁面取付面部１１を下にして床面等に安定して置くことができ、取り扱い性に優れている。また、筐体１０に、照明部６０の点灯及び消灯を行うスイッチ３０が設けられている場合、建物の壁面Ｗから取り外した際に、夜間の歩行等に便利な懐中電灯の役目を果たすことができる。
【図面の簡単な説明】
【００３１】
【図１】本考案のセンサー付ライトの一実施形態を示す斜視図である。
【図２】本考案のセンサー付ライトの一実施形態を示す右側面図である。
【図３】本考案のセンサー付ライトの一実施形態を示す正面図である。
【図４】本考案のセンサー付ライトの一実施形態を示す背面図である。
【図５】本考案のセンサー付ライトの一実施形態を示す平面図である。
【図６】本考案のセンサー付ライトの一実施形態を示す底面図である。
【図７】図１〜図６に示すセンサー付ライトを建物の壁面に取り付けた状態を示す斜視図である。
【図８】図１〜図６に示すセンサー付ライトを携行した状態を示す斜視図である。
【符号の説明】
【００３２】
１      センサー付ライト
１０    筐体
１１    壁面取付面部
１２    受光面部
１３    センサー照明面部
１４    側面部
１５    ハンドル
２０    手動発電機のハンドル部
３０    スイッチ
４０    太陽電池セル
５０    センサー部
６０    照明部
Ｗ      建物の壁面
【図１】
0003146892.tif 000003
【図２】
0003146892.tif 000004
【図３】
0003146892.tif 000005
【図４】
0003146892.tif 000006
【図５】
0003146892.tif 000007
【図６】
0003146892.tif 000008
【図７】
0003146892.tif 000009
【図８】
0003146892.tif 000010